(57)【要約】【課題】金属小部品の搬送中における発錆を防ぐことができる金属小部品の搬送装置を目的とするものである。【解決手段】切削加工した金属小部品Ｐを表面処理工程等に輸送する際における発錆を防止するために、多数の連通孔２ａを透設した金属小部品収容用の通い箱２を一つ以上水中に浸漬収容できる水槽１を運搬移動自在なものとするとともに、該水槽に金属小部品に電子を供給する電気防食装置４を組み込んだものとし、輸送する際には電気防食装置４により水中に微弱電流を流すことにより金属小部品に錆が発生することがなくなるので、表面処理時に行なう酸洗や水洗、脱脂工程をなくすことができる。【選択図】                図１
2004353008.tif 000002
【特許請求の範囲】
【請求項１】
多数の連通孔を透設した金属小部品収容用の通い箱を一つ以上水中に浸漬収容できる水槽を運搬移動自在なものとするとともに、該水槽に金属小部品に電子を供給する電気防食装置を組み込んだことを特徴とする金属小部品の搬送装置。
【請求項２】
水流発生装置を水槽に配置させたことを特徴とする請求項１に記載の金属小部品の搬送装置。
【請求項３】
水槽に浸漬された通い箱の周囲に十分な電解水域が形成されることを特徴とする請求項１または２に記載の金属小部品の搬送装置。
【請求項４】
水中の電導度を高める薬剤を添加することを特徴とする請求項１から３のいずれかに記載の金属小部品の搬送装置。
【請求項５】
金属小部品が加振されることを特徴とする請求項１から４のいずれかに記載の金属小部品の搬送装置。
【請求項６】
電気防食装置の陰極が通い箱または金属小部品を被覆する金属製ネットであることを特徴とする請求項１から５のいずれかに記載の金属小部品の搬送装置。
【請求項７】
通い箱または水槽が絶縁材よりなることを特徴とする請求項１から５のいずれかに記載の金属小部品の搬送装置。
【発明の詳細な説明】
【０００１】
【発明の属する技術分野】
本発明はめっきや塗装を施す前の金属小部品を発錆させることなく搬送する金属小部品の搬送装置に関するものである。
【０００２】
【従来の技術】
従来、特に切削加工された金属小部品は、めっきや塗装等の表面処理工場等に搬送されることとなる。切削加工された金属小部品の表面には切削油が付着されていて防錆効果を有しているが、金属小部品に露や雨水等の水分が付着すると錆の発生を完全に防止することはできなかった。特に、金属小部品を手で触ったりしていると汗により錆が確実に発生するという問題があった。水分による酸化現象は、例えば鉄（Ｆｅ）では付着した水分（Ｈ２Ｏ）の酸素（Ｏ）により電子（ｅ−）を奪われてイオン化（Ｆｅ２＋）し、鉄（Ｆｅ）から電子（ｅ−）を受け取った水と酸素（Ｏ）は水酸イオン（ＯＨ−）になる。そして水酸イオン（ＯＨ−）はイオン化された鉄（Ｆｅ２＋）と結合して水酸化第一鉄（Ｆｅ（ＯＨ）２）となり表面に析出する。そして水酸化第一鉄（Ｆｅ（ＯＨ）２）はさらに酸素と結合して水酸化第二鉄（Ｆｅ（ＯＨ）３）となり、水酸化第二鉄（Ｆｅ（ＯＨ）３）が赤錆（ＦｅＯ（ＯＨ））に変化する。このため、金属小部品にめっき等の表面処理を行なう前には、必ず酸洗して金属小部品の錆の除去および研削油の除去を行なわなければならなかった。そして酸洗除去を行なった後、部品表面に付着する酸を水洗し、さらにアルカリ洗浄を行なって脱脂を行ない、再び水洗する工程等が必要になり、廃水等を含めて環境負荷を高める原因ともなるうえに表面処理にかかる費用が高くなるという問題があった。そこで防錆紙、緩衝紙、防水性フィルムラミネート紙により三重に梱包して金属製品を搬送するものがある（例えば、特許文献１参照）しかし運搬や積み込み作業などにより防錆紙、緩衝紙、防水性フィルムラミネート紙が破損しやすく、所望の防錆効果が充分得られないという問題があった。
【０００３】
【特許文献１】特開２００１−１０６７９号公報
【０００４】
【発明が解決しようとする課題】
本発明は金属小部品の搬送中における発錆を防ぐことができる金属小部品の搬送装置を提供することを目的とするものである。
【０００５】
【課題を解決するための手段】
前述の課題を達成するため本発明は、多数の連通孔を透設した金属小部品収容用の通い箱を一つ以上水中に浸漬収容できる水槽を運搬移動自在なものとするとともに、該水槽に金属小部品に電子を供給する電気防食装置を組み込んだ金属小部品の搬送装置を請求項１の発明とし、請求項１の発明において、水流発生装置を水槽に配置させた金属小部品の搬送装置を請求項２の発明とし、請求項１または２の発明において、水槽に浸漬された通い箱の周囲に十分な電解水域が形成される金属小部品の搬送装置を請求項３の発明とし、請求項１から３の発明において、水中の電導度を高める薬剤を添加する金属小部品の搬送装置を請求項４の発明とし、請求項１から４の発明において、金属小部品が加振される金属小部品の搬送装置を請求項５の発明とし、請求項１から５の発明において、電気防食装置の陰極が通い箱または金属小部品を被覆する金属製ネットである金属小部品の搬送装置を請求項６の発明とし、通い箱または水槽が絶縁材よりなる金属小部品の搬送装置を請求項７の発明とするものである。
【０００６】
【発明の実施の形態】
次に、本発明の好ましい実施の形態を図に基づいて詳細に説明する。
１は後記する通い箱２が一つ以上収容できる絶縁材よりなる水槽であり、該水槽１はトラックや鉄道車両等の運搬手段により運搬移動自在なものとするため、図示しないクレーン用の吊下げフックや移動を容易なものとするためのキャスターおよび後記する電気防食装置４、該電気防食装置４のための電源供給用端子等が取り付けられるものとしている。また水槽１は多数を運搬手段に並列積載する場合、隣接する水槽相互がコネクタにより接続されて電気防食装置４に電源供給が行われるようにすることが好ましい。
【０００７】
２は水槽１に収容される絶縁材よりなる通い箱であり、該通い箱２は金属小部品Ｐを収容するためのものであり、その周面には多数の連通孔２ａが透設されていて電子（ｅ−）が自由に行き来できるようになっている。また通い箱２は水槽１に収容したとき、水中に浸漬される通い箱２の周囲に十分な電解水域が形成されるように、絶縁製受台３により水槽１の底面と通い箱２との間に一定の隙間が形成されるようにするとともに水槽１の側壁内周面と通い箱２の側壁外周面との間に一定の隙間が形成されるようにしている。
【０００８】
４は金属小部品Ｐの発錆を防止するとともに金属小部品に発生した錆を還元する電気防食装置であり、該電気防食装置４の陰極は金属製ネット５に接続され、陽極は前記水槽１中に配置される電極板としており、３０Ｖ、２０ｍＡ以上の微弱電流を流すものとしている。電気防食装置４は水中に電子（ｅ−）を供給し、水（Ｈ２Ｏ）の酸素（Ｏ）により金属小部品から電子（ｅ−）が奪われてイオン化（Ｆｅ２＋）する酸化を防止したり、金属小部品から奪われた電子（ｅ−）を取り戻して還元させたり、水中の酸素（Ｏ）に電子（ｅ−）を与えて水酸イオン（ＯＨ−）とすることにより酸化の原因となる水中の酸素（Ｏ）を低減させたりするものである。また電気防食装置４の電源は電池記号で表示されているが、具体的には運搬手段のトラックや貨物車等から供給される電流を用いるものとし、交流であれば直流に変換したうえ規定電圧に変圧して供給するものとする。
【０００９】
また前記金属製ネット５は水中に電子（ｅ−）を供給するもので、通い箱２の底面に配設したり、金属小部品Ｐを上下から包むものとしたりするもので、金属小部品Ｐ全体を袋状の金属製ネット５により包めば金属小部品Ｐに効率よく電子（ｅ−）を与えられるので還元を確実に行なうことができる。また金属製ネット５内に金属小部品を余り高い密度で充填すると防錆効果が低下するので、金属小部品の大きさや数等に応じて最適な密度を選択することが好ましい。
【００１０】
６は水槽１内に配置される水流発生装置であり、該水流発生装置６により水を流動させて、電気防錆装置４による電気分解から発生する水素や酸素等のガスを水中から速やかに排除させるとともに水流に電子（ｅ−）を乗せて金属小部品Ｐの隅々まで電子（ｅ−）が行き渡るようにするものである。このようにすることにより、水中から水素や酸素等のガスを速やかに排除できるので電気防食装置４による防食効果が低下することを抑制できるうえに、水中の電子（ｅ−）を金属小部品の隙間まで行き渡らせることにより金属小部品Ｐの防食や還元を効率よく行なうことができることとなる。
【００１１】
また金属小部品Ｐには運搬手段による振動が加えられるものとしている。運搬手段による振動は通い箱２に加えられて金属小部品Ｐを揺さぶり、金属小部品Ｐの重なり合っている部分を水中に露呈させて防食や還元効果を向上させることができる。また水中には安息香酸ナトリウムを添加して電導度を高めて電気防食装置４の作用を高めるようにしている。
【００１２】
このように構成されたものは、先ず、電気防食装置４を組み込んだ水槽１に切削加工された多数の金属小部品Ｐが投入されている通い箱２を収容浸漬する。この浸漬により通い箱２内には連通孔２ａを通じて水が流入し、通い箱２内は水が充満されることとなる。また通い箱２は絶縁製受台３上に載置されて、通い箱２の底部側におよび側壁周面に十分な電解水域が形成されるようにする。次いで、通い箱２が収容された水槽１をトラックや貨物車等の運搬手段に積載する。運搬手段に積載後、運搬手段から供給される電源を水槽１に接続して電気防食装置４、水流発生装置６を起動する。電気防食装置４、水流発生装置６の起動により水中に微弱電流が流され電子が供給され、水槽１内の水は流動される。この水流による攪拌により水中の水素や酸素等のガスは速やかに外気に放散されるとともに水中の電子（ｅ−）を金属小部品Ｐの隙間まで送り込まれることとなる。
【００１３】
この状態で表面処理工場等に搬送されるが、前述したように電気防食装置４による電子（ｅ−）の供給により、金属小部品Ｐから電子（ｅ−）が奪われてイオン化（Ｆｅ２＋）する酸化を防止したり、電子（ｅ−）を奪われた金属小部品Ｐに電子（ｅ−）を与えて還元を行なったりする。さらに水中の酸素（Ｏ）に電子（ｅ−）を与えて金属小部品Ｐから電子（ｅ−）を奪うことなく水酸イオン（ＯＨ−）とすることにより、水中の酸素濃度を低減させて金属小部品Ｐから電子（ｅ−）が奪われてイオン化（Ｆｅ２＋）されることを抑制できるので、金属小部品Ｐから奪われた電子（ｅ−）により生じた水酸イオン（ＯＨ−）により金属小部品Ｐの表面に水酸化第一鉄（Ｆｅ（ＯＨ）２）が析出され、該水酸化第一鉄（Ｆｅ（ＯＨ）２）がさらに酸素と結合して水酸化第二鉄（Ｆｅ（ＯＨ）３）となり、水酸化第二鉄から赤錆（ＦｅＯ（ＯＨ））が発生すること的確に防止できることとなる。
【００１４】
このようにして研削された金属小部品Ｐは発錆することなく、且つ発生した錆を還元されつつ輸送されることとなる。さらに運搬手段の走行振動により通い箱２に加えられる振動で金属小部品Ｐの重なり合いは常に解されることとなるので、金属小部品Ｐの重なり合いによる部分的な錆の発生も防止され、重なり合い部分に生じた錆も還元されることとなる。
【００１５】
このように錆の発生は防止され、また発生した錆は還元されるので、表面処理工場においては、表面処理の前に酸洗処理、水洗処理、脱脂処理、水洗処理等をすることなく、金属小部品にめっきや塗装等の表面処理を施せるので、処理コストを大幅に低減できることとなるうえに、酸洗処理、水洗処理、脱脂処理、水洗処理等により発生する廃水がゼロになるので廃水による環境問題も発生しないこととなる。
【００１６】
なお、前記好ましい実施の形態では、水槽１はトラックや鉄道車両等の運搬手段により積載できるものとしているが、運搬手段に一体的に組み付けたものとしてもよいことは勿論である。
【００１７】
また前記好ましい実施の形態では陰極となる金属製ネット５は通い箱２の底面と金属小部品Ｐの上方から被套して金属小部品全体を覆うものとしているが、袋状の金属製ネット５として内部に金属小部品Ｐを収納するようにしてもよいことは勿論である。
【００１８】
さらに前記好ましい実施の形態では、金属小部品Ｐを鉄としているが、アルミニウムや銅その他金属でもよいことは勿論である。
【００１９】
また前記好ましい実施の形態では、通い箱２を絶縁材としているが金属製として陰極としてもよいことは勿論である。
【００２０】
さらに前記好ましい実施の形態では、運搬手段による走行振動が金属小部品Ｐに加えられるものとしているが、走行振動が加わり難い貨物列車輸送のような場合には、加振装置を通い箱２を受ける絶縁製受台３に設けたり、絶縁製受台３とは別に水槽１の底面や側面に加振装置を取り付けたりするものとしてもよいことは勿論である。
【００２１】
また前記好ましい実施の形態では、水中に安息香酸ナトリウムを添加して電導度を高めているが、電導度を高める薬剤であれば安息香酸ナトリウムに限定されるものではないことは勿論である。
【００２２】
さらに前記好ましい実施の形態では、水流発生装置６はプロペラによる攪拌によるものとしているが、ポンプを用いて水流を発生させて水を攪拌するものとしてもよいことは勿論である。
【００２３】
【発明の効果】
本発明は前記説明によっても明らかなように、多数の連通孔を透設した金属小部品収容用の通い箱を一つ以上水中に浸漬収容できる水槽を運搬移動自在なものとするとともに、該水槽に金属小部品に電子を供給する電気防食装置を組み込んだものとしたから、切削加工した金属小部品が搬送中に発錆することがなくなるうえに金属小部品に発生した錆を還元することができるので、表面処理を行なう前に酸洗・水洗・脱脂・水洗等の処理を行なう必要がなくなるので表面処理費用を大幅にコストダウンできることとなる。しかも前処理による廃水が発生しないので環境に対する影響を大幅に低減できることとなる。
また請求項２のように、水流発生装置を水槽に配置させて水を攪拌させることにより、酸素や水素ガスを速やかに排除できるので防食や還元に悪影響を与えることがないうえに水流に乗せて金属小部品の隙間等に電子を送り込むことができるので、防食や還元作用をより確実なものとすることができる。
請求項３のように、水槽に浸漬された通い箱の周囲に十分な電解水域が形成されるものとすることにより、むらのない極めて均一な防食や還元作用を得ることができるものとなる。
請求項４のように、水中の電導度を高める薬剤を添加することにより防食や還元効果を高めることができる。
請求項５のように、金属小部品が加振されるものとすることにより、金属小部品の重なり合いがなくなり金属小部品全体の防食あるいは還元を得ることができる等種々の利点を有するものである。
従って、本発明は従来の問題点を解消した金属小部品の搬送装置として業界の発展に寄与するところ大なものである。
【図面の簡単な説明】
【図１】本発明の好ましい実施の形態を示す概略図である。
【符号の説明】
１  水槽
２  通い箱
２ａ  連通孔
４  電気防食装置
５  金属製ネット
６  水流発生装置
【図１】
2004353008.tif 000003